【手続補正書】
【提出日】平成16年12月1日(2004.12.1)
【手続補正１】
【補正対象書類名】明細書
【補正対象項目名】特許請求の範囲
【補正方法】変更
【補正の内容】
【特許請求の範囲】
【請求項１】  自動車に接続するための自動車用記憶及び再生装置であって、
コンピュータシステムに入力されたユーザ定義の優先順位に基づいて無線ローカルエリアネットワークを通じてコンピュータシステムからデジタルコンテントを自動的に受信する第１の無線送受信機、
を含み、
前記第１の無線送受信機は、該第１の無線送受信機が前記コンピュータシステムに関連する第２の無線送受信機の範囲内にある時に、前記無線ローカルエリアネットワークと通信可能に接続され、
前記コンピュータシステムは、自動車に対して外部的かつ遠隔的に位置し、前記第１の無線送受信機が前記第２の無線送受信機の範囲外にある間は、前記デジタルコンテントの少なくとも一部分を取得し、
自動車の出力装置へ送信されて再生される前記デジタルコンテントを変換するための変換器、
を更に含むことを特徴とする装置。
【請求項２】  前記デジタルコンテントを転送する目的で前記コンピュータシステム内のシステム制御アプリケーションを発見するために、自動車が電源を切った時に前記第１の無線送受信機に発見メッセージを定期的かつ自動的に放送させる制御ファームウェアを更に含むことを特徴とする請求項１に記載の自動車用記憶及び再生装置。
【請求項３】  前記第１の無線送受信機は、前記コンピュータシステムに入力されたユーザ定義の優先順位によって指定された時刻に定期的に前記デジタルコンテントを受信することを特徴とする請求項１に記載の自動車用記憶及び再生装置。
【請求項４】  前記デジタルコンテントは、前記コンピュータシステムにおけるユーザのアクションに応答して自動車用記憶及び再生装置に転送されることを特徴とする請求項１に記載の自動車用記憶及び再生装置。
【請求項５】  前記第１の無線送受信機に接続され、該第１の無線送受信機から前記デジタルコンテントを受信してそのデジタルコンテントをバイナリデータ及び命令のうちの少なくとも一方に変換する記憶及びデータリンクユニットを更に含むことを特徴とする請求項１に記載の自動車用記憶及び再生装置。
【請求項６】  少なくとも１つのケーブルを通じて前記記憶及びデータリンクユニットに接続されたヘッドユニットを更に含むことを特徴とする請求項５に記載の自動車用記憶及び再生装置。
【請求項７】  前記ヘッドユニットは、
ステレオサウンドプロセッサと、
前記ステレオサウンドプロセッサに合結されたオーディオミキサーと、
前記オーディオミキサーに接続されたプリアンプと、
前記プリアンプに接続されたアンプと、
自動車に取り付けられたアンテナに接続されたチューナと、
ユーザインタフェースと、
を含むことを特徴とする請求項６に記載の自動車用記憶及び再生装置。
【請求項８】  前記ヘッドユニットは、
前記ステレオサウンドプロセッサに接続されたコンパクトディスクドライブと、
前記ステレオサウンドプロセッサに接続されたオーディオカセットドライブと、
を更に含むことを特徴とする請求項７に記載の自動車用記憶及び再生装置。
【請求項９】  前記デジタルコンテントは、音楽ファイル、テキストファイル、画像ファイル、ビデオファイル、及び、対話型マルチメディアファイルのうちの少なくとも１つを含むことを特徴とする請求項１に記載の自動車用記憶及び再生装置。
【請求項１０】  前記記憶及びデータリンクユニットは、バッテリを含むことを特徴とする請求項５に記載の自動車用記憶及び再生装置。
【請求項１１】  前記記憶及びデータリンクユニットは、温度に基づく制御システムを含むことを特徴とする請求項５に記載の自動車用記憶及び再生装置。
【請求項１２】  前記記憶及びデータリンクユニットは、振動減衰システムを含むことを特徴とする請求項５に記載の自動車用記憶及び再生装置。
【請求項１３】  前記振動減衰システムは、２つのエラストマー性緩衝キャップを含むことを特徴とする請求項１２に記載の自動車用記憶及び再生装置。
【請求項１４】  無線ローカルエリアネットワークと通信可能に接続されたコンピュータシステムを含み、
前記コンピュータシステムは、
デジタルコンテントを前記無線ローカルエリアネットワークを通じて自動的に取得し、記憶し、自動車用記憶及び再生装置が該無線ローカルエリアネットワークの範囲内にある無線送受信機を含む時は、デジタルコンテントを該自動車用記憶及び再生装置に送信し、
前記無線ローカルエリアネットワークが前記自動車用記憶及び再生装置の前記無線送受信機の範囲に入っていない間は、該コンピュータシステムに入力されたユーザ定義の優先順位に基づいて、ワイドエリアネットワークから前記デジタルコンテントを取得する、
ことを特徴とする装置。
【請求項１５】  前記コンピュータシステムは、前記自動車用記憶及び再生装置上の制御ファームウェアに応答して自動的に前記デジタルコンテントを送るためのシステム制御アプリケーションを含み、
前記制御ファームウェアは、前記自動車用記憶及び再生装置に接続した自動車が電源を切った時に、発見メッセージを前記システム制御アプリケーションに放送する、
ことを特徴とする請求項１４に記載の装置。
【請求項１６】  前記コンピュータシステムは、そのコンピュータシステムに入力された前記ユーザ定義の優先順位よって指定された時刻に定期的に前記デジタルコンテントを送信することを特徴とする請求項１４に記載のシステム。
【請求項１７】  前記コンピュータシステムは、該コンピュータシステムにおけるユーザのアクションに応答して前記デジタルコンテントを送信するように作動可能であることを特徴とする請求項１４に記載のシステム。
【請求項１８】  前記コンピュータシステムは、
前記デジタルコンテントの転送を管理して制御するためのシステム制御アプリケーションと、
ユーザインタフェースと、
を含むことを特徴とする請求項１４に記載のシステム。
【請求項１９】  デジタルコンテントを無線ローカルエリアネットワークを通じて自動的に受信するための第１の無線送受信機を含み、前記デジタルコンテントを再生することができる自動車の出力装置に接続された、自動車に接続するための自動車用記憶及び再生装置と、
前記無線ローカルエリアネットワークと通信可能に接続され、前記自動車用記憶及び再生装置に対して遠隔的に位置するコンピュータシステムと、
を含み、
前記コンピュータシステムは、
前記デジタルコンテントを前記無線ローカルエリアネットワークを通じて自動的に取得し、記憶し、前記自動車用記憶及び再生装置が該無線ローカルエリアネットワークの範囲内にある無線送受信機を含む時は、該デジタルコンテントを該自動車用記憶及び再生装置に送信し、
前記無線ローカルエリアネットワークが前記自動車用記憶及び再生装置の前記無線送受信機の範囲に入っていない間は、該コンピュータシステムに入力されたユーザ定義の優先順位に基づいて、ワイドエリアネットワークから前記デジタルコンテントを取得する、
ことを特徴とする、デジタルコンテントを自動車に転送するためのシステム。
【請求項２０】  前記自動車用記憶及び再生装置上の制御ファームウェアは、自動車が電源を切った時に、前記コンピュータシステム上のシステム制御アプリケーションからのコンテントを同期する目的で発見メッセージを定期的かつ自動的に放送することを特徴とする請求項１９に記載のシステム。
【請求項２１】  前記自動車用記憶及び再生装置は、前記コンピュータシステムに入力されたユーザ定義の優先順位によって指定された時刻に定期的に前記デジタルコンテントを受信することを特徴とする請求項１９に記載のシステム。
【請求項２２】  前記自動車用記憶及び再生装置は、前記コンピュータシステムにおけるユーザのアクションに応答して前記デジタルコンテントを受信するように作動可能であることを特徴とする請求項１９に記載のシステム。
【請求項２３】  前記コンピュータシステムは、
前記デジタルコンテントの転送を管理して制御するためのシステム制御アプリケーションと、
ユーザインタフェースと、
を含むことを特徴とする請求項１９に記載のシステム。
【請求項２４】  前記第１の無線送受信機に接続され、該第１の無線送受信機から前記デジタルコンテントを受信してそのデジタルコンテントをバイナリデータ及び命令のうちの少なくとも一方に変換する記憶及びデータリンクユニットを更に含むことを特徴とする請求項１９に記載のシステム。
【請求項２５】  少なくとも１つのケーブルを通じて前記記憶及びデータリンクユニットに接続されたヘッドユニットを更に含むことを特徴とする請求項２４に記載のシステム。
【請求項２６】  前記ヘッドユニットは、
ステレオサウンドプロセッサと、
前記ステレオサウンドプロセッサに合結されたオーディオミキサーと、
前記オーディオミキサーに接続されたプリアンプと、
前記プリアンプに接続されたアンプと、
自動車に取り付けられたアンテナに接続されたチューナと、
ユーザインタフェースと、
を含むことを特徴とする請求項２５に記載のシステム。
【請求項２７】  前記ヘッドユニットは、
前記ステレオサウンドプロセッサに接続されたコンパクトディスクドライブと、
前記ステレオサウンドプロセッサに接続されたオーディオカセットドライブと、
を更に含むことを特徴とする請求項２６に記載のシステム。
【請求項２８】  前記デジタルコンテントは、音楽ファイル、テキストファイル、画像ファイル、ビデオファイル、及び、対話型マルチメディアファイルのうちの少なくとも１つを含むことを特徴とする請求項１９に記載のシステム。
【請求項２９】  前記ワイドエリアネットワークは、「インターネット」であることを特徴とする請求項１９に記載のシステム。
【請求項３０】  前記記憶及びデータリンクユニットは、バッテリを含むことを特徴とする請求項２４に記載のシステム。
【請求項３１】  前記記憶及びデータリンクユニットは、温度に基づく制御システムを含むことを特徴とする請求項２４に記載のシステム。
【請求項３２】  前記記憶及びデータリンクユニットは、振動減衰システムを含むことを特徴とする請求項２４に記載のシステム。
【請求項３３】  前記振動減衰システムは、２つのエラストマー性緩衝キャップを含むことを特徴とする請求項３２に記載のシステム。
【請求項３４】  自動車に接続した自動車用記憶及び再生装置にデジタルコンテントを転送する方法であって、
自動車用記憶及び再生装置が無線ローカルエリアネットワークの範囲内にある時に、該自動車用記憶及び再生装置をローカルエリアネットワークと通信可能に接続する段階と、
前記無線ローカルエリアネットワークを通じて、遠隔コンピュータシステムからそのコンピュータシステムに入力されたユーザ定義の優先順位に基づいて自動的にデジタルコンテントを受信する段階と、
を含み、
前記無線ローカルエリアネットワークが、前記自動車用記憶及び再生装置の前記無線送受信機の範囲に入っていない場合は、前記デジタルコンテントは、前記遠隔コンピュータシステムによりワイドエリアネットワークから取得される、
ことを特徴とする方法。
【請求項３５】  デジタルコンテントを受信する段階は、コンテントをコンピュータシステム上のシステム制御アプリケーションと同期させる目的で、自動車が電源を切った時に制御ファームウェアが定期的かつ自動的に発見メッセージを放送する段階を含むことを特徴とする請求項３４に記載の方法。
【請求項３６】  デジタルコンテントを受信する段階は、前記コンピュータシステムに入力された前記ユーザ定義の優先順位によって指定された時刻に定期的に該デジタルコンテントを受信する段階を含むことを特徴とする請求項３４に記載の方法。
【請求項３７】  ユーザのアクションに応答してデジタルコンテントを受信する段階を更に含むことを特徴とする請求項３４に記載の方法。
【請求項３８】  前記デジタルコンテントを解凍してバイナリデータ及び命令のうちの少なくとも一方に変換する段階を更に含むことを特徴とする請求項３４に記載の方法。
【請求項３９】  前記変換されたコンテントを自動車の出力装置に転送する段階を更に含むことを特徴とする請求項３８に記載の方法。
【請求項４０】  前記変換されたコンテントを前記出力装置上で再生する段階を更に含むことを特徴とする請求項３９に記載の方法。
【請求項４１】  前記デジタルコンテントは、音楽ファイル、テキストファイル、画像ファイル、ビデオファイル、及び、対話型マルチメディアファイルのうちの少なくとも１つを含むことを特徴とする請求項３４に記載の方法。
【請求項４２】  自動車に接続するための自動車用記憶及び再生装置であって、
制御ファームウェアと、
無線ローカルエリアネットワークを通じて、コンピュータシステムからデジタルコンテントを自動的に受信するための無線送受信機と、
を含み、
前記制御ファームウェア及び前記無線送受信機は、自動車が電源を切った時に、協働して発見メッセージを自動的かつ定期的に放送する、
ことを特徴とする装置。
【請求項４３】  前記デジタルコンテントは、前記コンピュータシステムによって自動的に取得されることを特徴とする請求項４２に記載の記憶及び再生装置。
【請求項４４】  前記デジタルコンテントは、前記コンピュータシステムに入力されたユーザ定義の優先順位に基づくことを特徴とする請求項４２に記載の記憶及び再生装置。
【請求項４５】  システムによって実行された時に、該システムに方法を実行させる実行可能な命令を記憶した１つ又はそれ以上の記録可能な媒体を有する製品であって、
前記方法は、
コンピュータシステムから自動車用記憶及び再生装置へデジタルコンテントを転送させる段階と、
自動車が電源を切った時に、前記自動車用記憶及び再生装置に１つ又はそれ以上のメッセージを無線送受信機を通じて前記コンピュータシステムに定期的かつ自動的に送信させる段階と、
を含み、
前記デジタルコンテントの少なくとも一部分は、無線ローカルエリアネットワークが前記自動車用記憶及び再生装置の前記無線送受信機の範囲に入っていない間は、ワイドエリアネットワークから取得され、
更に、取得する前記デジタルコンテントの選択は、前記遠隔コンピュータシステムに入力されたユーザ定義の優先順位に基づいている、
ことを特徴とする製品。